(57)【特許請求の範囲】
【請求項１】
本体と、この本体に装着可能なカバー体と、を備えた金属製品用吸着保持具であって、
上記本体は、永久磁石体と、当該永久磁石体を収容し、底部、頂部、およびこれら底部と頂部間をつなぐ側部を有するケースと、を備え、
上記頂部には、上記永久磁石体の磁力を利用して金属製品を吸着保持する吸着面が設けられており、
上記カバー体は、上記本体への装着時において、上記底部から上記頂部に向かう高さ方向において上記頂部と間隔を隔てて当該頂部を覆う天井部と、この天井部の周縁から筒状に垂れ下がり、上記高さ方向に対して垂直である方向において上記側部の一部を覆うスカート部と、を有し、
上記カバー体の上記天井部には、上記本体の上記底部を嵌入するための凹部が設けられており、
上記凹部は、上記底部から上記頂部に向かう高さ方向視において環状をなしており、
上記天井部は、上記高さ方向視において、上記凹部の内側に位置して上方に隆起する内側隆起部と、上記凹部の外側に位置して上方に隆起する外側隆起部と、を有し、
上記底部は、周囲の部位よりも下方に突出し、上記カバー体の上記凹部に嵌まり得る凸状部を有し、
上記凹部は、垂直方向に延びる中心軸線を含む垂直断面において曲線をなすように湾曲しており、
上記凸状部は、上記凹部に嵌め合わされた状態において上記凹部に沿うように湾曲している、金属製品用吸着保持具。
【請求項２】
上記カバー体における上記スカート部の内周面には係合突起が設けられており、
上記本体における上記側部の外周面には、上記係合突起が係合し得る係合溝が設けられている、請求項１に記載の金属製品用吸着保持具。
【発明の詳細な説明】
【技術分野】
【０００１】
本発明は、裁縫用の縫い針や待ち針などの針類やその他の金属製小物類を、磁石の磁力を利用して吸着し、保持しておくのに用いられる、金属製品用吸着保持具に関する。
【背景技術】
【０００２】
縫い針や待ち針などの裁縫用針は、一般に、不使用時にはクッション材などで形成された針山に突き刺して当該針山に保持させられる。また、クッション材からなる針山に代えて、磁石の磁力を利用して裁縫用針などの金属製品を吸着保持可能に構成された吸着保持具も提案されている（たとえば特許文献１を参照）。磁石を用いた吸着保持具によれば、金属製である裁縫用針等を、集合させた状態で強固に保持することができる。
【０００３】
裁縫作業の際、作業内容によっては、縫針や待ち針等の針類は複数種類のものが用いられる。上記した金属製品用吸着保持具にこれら複数種の針類を保持させる場合、針の種類毎に分類して保持させるべく、複数の金属製品用吸着保持具が使用される場合がある。複数の金属製品用吸着保持具を使用する場合、たとえばこれらをテーブル上に並べて、それぞれに異なる種類の針を保持させておく。このようにすれば、複数種類の針が混在せずに、種類ごとに区別して保持されるので、使用する針（各種類ごとの針）を迅速に保持具から取り出すことができ、使い勝手がよい。
【０００４】
一方、裁縫を行わない時には、上記複数の金属製品用吸着保持具をテーブル上等に並べて置くと収納スペースが大きくなり、使い勝手の面で改善の余地があった。
【先行技術文献】
【特許文献】
【０００５】
【特許文献１】実用新案登録第３１０１７３６号公報
【発明の概要】
【発明が解決しようとする課題】
【０００６】
本発明は、このような事情のもとで考え出されたものであって、使い勝手を改善するのに適した金属製品用吸着保持具を提供することを課題とする。
【課題を解決するための手段】
【０００７】
上記の課題を解決するため、本発明では、次の技術的手段を講じている。
【０００８】
本発明によって提供される金属製品用吸着保持具は、本体と、この本体に装着可能なカバー体と、を備えた金属製品用吸着保持具であって、上記本体は、永久磁石体と、当該永久磁石体を収容し、底部、頂部、およびこれら底部と頂部間をつなぐ側部を有するケースと、を備え、上記頂部には、上記永久磁石体の磁力を利用して金属製品を吸着保持する吸着面が設けられており、上記カバー体の上部には、上記本体の上記底部を嵌入するための凹部が設けられている。
【０００９】
好ましい実施の形態においては、上記カバー体は、上記本体への装着時において、上記底部から上記頂部に向かう高さ方向において上記頂部と間隔を隔てて当該頂部を覆う天井部と、この天井部の周縁から筒状に垂れ下がり、上記高さ方向に対して垂直である方向において上記側部の一部を覆うスカート部と、を有し、上記凹部は、上記天井部の上面に設けられている。
【００１０】
好ましい実施の形態においては、上記凹部は、上記底部から上記頂部に向かう高さ方向視において環状をなしており、上記天井部は、上記高さ方向視において、上記凹部の内側に位置して上方に隆起する内側隆起部と、上記凹部の外側に位置して上方に隆起する外側隆起部と、を有し、上記底部は、周囲の部位よりも下方に突出し、上記カバー体の上記凹部に嵌まり得る凸状部を有する。
【００１１】
好ましい実施の形態においては、上記凹部は、垂直方向に延びる中心軸線を含む垂直断面において曲線をなすようにラウンドしており、上記凸状部は、上記凹部に嵌め合わされた状態において上記凹部に沿うようにラウンドしている。
【００１２】
好ましい実施の形態においては、上記カバー体における上記スカート部の内周面には係合突起が設けられており、上記本体における上記側部の外周面には、上記係合突起が係合し得る係合溝が設けられている。
【００１３】
本発明のその他の特徴および利点は、添付図面を参照して以下に行う詳細な説明によって、より明らかとなろう。
【図面の簡単な説明】
【００１４】
【図１】本発明に係る金属製品用吸着保持具の一例を示す斜視図である。
【図２】図１に示す金属製品用吸着保持具の本体からカバー体を取り外した状態を示す斜視図である。
【図３】本体の平面図である。
【図４】図３のＩＶ−ＩＶ線に沿う断面図である。
【図５】図３のＶ−Ｖ線に沿う断面図である。
【図６】本体にカバー体を装着した状態を示す図４と同様の断面図である。
【図７】本体にカバー体を装着した状態を示す図５と同様の断面図である。
【図８】図１に示す金属製品用吸着保持具の使用状態の一例を示す斜視図である。
【図９】図１に示す金属製品用吸着保持具を積み重ねた収納時の状態を示す断面図である。
【図１０】図１に示す金属製品用吸着保持具の使用状態の他の一例を示す図４と同様の断面図である。
【図１１】図１に示す金属製品用吸着保持具の使用状態の他の一例を示す図５と同様の断面図である。
【図１２】図１に示す金属製品用吸着保持具の使用状態のさらに他の一例を示す図７と同様の断面図である。
【発明を実施するための形態】
【００１５】
以下、本発明の好ましい実施の形態について、図面を参照して具体的に説明する。
【００１６】
図１〜図７は、本発明に係る金属製品用吸着保持具の一例を示している。本実施形態の金属製品用吸着保持具Ａは、本体１と、この本体１に装着可能なカバー体２とを備えて構成されている。図１は、本体１にカバー体２を装着した状態の金属製品用吸着保持具Ａの全体斜視図であり、図２は、本体１からカバー体２を取り外した状態の斜視図である。図３は、本体１の平面図である。
【００１７】
図４〜図７に示すように、本体１は、ケース１０と、磁性部材１４と、永久磁石体１５，１６とを備える。ケース１０は、下部ケース１１および上部ケース１２を組み合わせることによって中空のケース状に組み立てられたものであり、磁性部材１４および永久磁石体１５，１６を内部に収容している。ケース１０（下部ケース１１および上部ケース１２）は、たとえば所定の強度を有する合成樹脂からなる。下部ケース１１および上部ケース１２は、たとえば超音波溶着あるいは接着などの手法により一体的に接合されている。ケース１０は、平面視において略楕円形状（図１〜図３におけるｘ方向が長径、ｙ方向が短径）とされている。
【００１８】
図４〜図７に表れているように、下部ケース１１は、底部１１１と、外周壁１１２と、突出部１１３，１１４とを有する。底部１１１は、平面視略楕円形状である。外周壁１１２は、底部１１１の外周縁から上方に延びている。突出部１１３，１１４は、外周壁１１２の内側において上方に突出している。これら突出部１１３，１１４は、互いに高さが異なっている。突出部１１３はその先端に磁性部材１４を載置するためのものであり、突出部１１４は磁性部材１４および永久磁石体１５，１６の位置がずれないように規制しておくためのものである。
【００１９】
下部ケース１１の底部１１１には、凸状部１１１ａが設けられている。凸状部１１１ａは、周囲の部位よりも下方に突出しており、本体１の高さ方向視（底部１１１から頂部１２１に向かうｚ方向視）において環状（本実施形態では略楕円形状）をなしている。詳細は後述するが、凸状部１１１ａは、後述のカバー体２の上部に設けられた凹部２０１に嵌入し得る部分である。
【００２０】
上部ケース１２は、頂部１２１と、外周壁１２２と、突出部１２３，１２４とを有する。頂部１２１は、平面視略楕円形状である。外周壁１２２は、頂部１２１の外周縁から下方に延びている。突出部１２３，１２４は、外周壁１１２の内側において下方に突出している。突出部１２３，１２４は、永久磁石体１５，１６の位置がずれないように規制しておくためのものである。突出部１２４は、下部ケース１１の突出部に１１４と対応する位置にある。
【００２１】
頂部１２１の上面部分には、ｘ方向において互いに離間する吸着面１２５，１２６が設けられている。吸着面１２５，１２６は、永久磁石体１５，１６のそれぞれに対応して位置しており、本体１の高さ方向視（ｚ方向視）において永久磁石体１５，１６と重なっている。本実施形態において、ｘ方向とｚ方向とは、互いに直角である。
【００２２】
頂部１２１における吸着面１２５，１２６の間には、ｙ方向（ｚ方向およびｘ方向のいずれにも直角である方向）に延びる凹溝１２７が設けられている。図２、図４等に表れているように、本実施形態において、凹溝１２７は、断面が略円弧形状であり、頂部１２１のｙ方向における略全長にわたって延びている。なお、凹溝１２７の形状は断面円弧形状に限定されず、種々な形状を採用することができる。
【００２３】
外周壁１２２の下端の適所には、外方に突出する突起部１２８が設けられている。また、本実施形態において、下部ケース１１と上部ケース１２との接合部分の外周面には、係合溝１７が設けられている。突起部１２８および係合溝１７の意義については後述する。
【００２４】
磁性部材１４は、その上面に載置される永久磁石体１５，１６による磁場が下方に広がるのを防止するためのものである。磁性部材１４は、平面視矩形の薄板状とされており、たとえば鉄や鉄系合金などの強磁性材料からなる。なお、磁性部材１４については、鉄以外の強磁性材料によって構成することもできる。
【００２５】
永久磁石体１５，１６は、磁性部材１４の上面に載置されており、ｘ方向において互いに離間している。永久磁石体１５，１６は、たとえばやや偏平な四角柱形状とされており、たとえばフェライト磁石からなる。永久磁石体１５，１６は、ケース１０内において、突出部１１３，１１４，１２３，１２４によって位置決めされている。
【００２６】
カバー体２は、本体１の上部に外嵌するように装着可能な部材である。カバー体２は、当該カバー体２の上部にある天井部２０と、スカート部２１とを有する。天井部２０は、平面視略楕円形状である。スカート部２１は、天井部２０の周縁から筒状に垂れ下がっている。
【００２７】
天井部２０は、カバー体２の本体１への装着時において、本体１の高さ方向（ｚ方向）において本体１の頂部１２１と間隔を隔てて当該頂部１２１を覆っている。天井部２０は、凹部２０１と、内側隆起部２０２と、外側隆起部２０３とを有する。凹部２０１は、天井部２０の上面に設けられており、本体１の高さ方向視（ｚ方向視）において環状（本実施形態では略楕円形状）をなしている。内側隆起部２０２は、本体１の高さ方向視（ｚ方向視）において、凹部２０１の内側に位置して上方に隆起する部分である。外側隆起部２０３は、本体１の高さ方向視において、凹部２０１の外側に位置して上方に隆起する部分である。
【００２８】
図６、図７によく表れているように、凹部２０１は、垂直方向（ｚ方向）に延びる中心軸線Ｏｘを含む垂直断面において曲線をなすようにラウンドしている。また、凹部２０１に嵌まり得る、本体１の底部１１１に設けられた凸状部１１１ａについても、中心軸線Ｏｘを含む垂直断面において曲線をなすようにラウンドしている。そして、凹部２０１および凸状部１１１ａの互いに対応する部分の断面形状は、略一致している。
【００２９】
スカート部２１は、カバー体２の本体１への装着時において、本体１の高さ方向（ｚ方向）に対して垂直である方向において本体１の外周壁１１２の略全部と外周壁１２２の一部（本体１の側部の一部）を覆っている。スカート部２１の内周面の適所には、複数の係合突起２１１が設けられている。係合突起２１１は、本体１の係合溝１７に係合し得る部分である。また、スカート部２１の下端には、部分的に上方に変位する切り欠き２１２が設けられている。カバー体２の本体１への装着時には、切り欠き２１２に本体１の突起部１２８が当接しており、カバー体２の装着姿勢が規定される。そして、このカバー体２の装着時において、本体１の係合溝１７にカバー体２の各係合突起２１１が係合している。
【００３０】
上記構成のカバー体２は、たとえば所定の強度を有する合成樹脂によって一体形成されている。
【００３１】
次に、上記構成の金属製品用吸着保持具Ａの使用例および作用について、図８〜図１２を参照して説明する。
【００３２】
金属製品用吸着保持具Ａによって縫い針、待ち針等の金属製品Ｎを保持させる際には、図８に示すように、本体１の頂部１２１に金属製品Ｎを置くだけで、これら金属製品Ｎは、本体１の内部に収容された永久磁石体１５，１６の磁力によって、瞬時に吸着面１２５，１２６に吸着保持される。このとき、間隔を隔てて配置された２個の永久磁石体１５，１６の磁力線の関係で、複数の金属製品Ｎは、不規則な方向を向くことなく、２個の永久磁石体１５，１６を結ぶ線と平行に、凹溝１２７と交差するように吸着される。吸着された金属製品Ｎを吸着面１２５，１２６から取り外す場合には、凹溝１２７が形成されていることにより、金属製品Ｎと吸着面１２５，１２６との間に隙間が発生するため、所望の金属製品Ｎを指先で容易に摘むことができる。
【００３３】
金属製品用吸着保持具Ａによって吸着保持させる金属製品Ｎが複数種類ある場合、当該複数種の金属製品Ｎの種類毎に応じて複数の金属製品用吸着保持具Ａが使用される場合がある。本実施形態において、カバー体２の上部には、本体１の底部１１１を嵌入するための凹部２０１が設けられている。このような構成によれば、複数の金属製品用吸着保持具Ａを使用した後の収納時には、図９に示すように、各金属製品用吸着保持具Ａの本体１にカバー体２を装着した上で、カバー体２の凹部２０１に、他の金属製品用吸着保持具Ａにおける本体１の底部１１１を嵌入させて積み重ねることができる。このように複数の金属製品用吸着保持具Ａを積み重ねることで、収納スペースが大きくなることを回避でき、収納時を含めた使い勝手の改善を図ることができる。
【００３４】
カバー体２の凹部２０１は、高さ方向視（ｚ方向視）において環状をなしており、天井部２０は、高さ方向視において、凹部２０１の内側で上方に隆起する内側隆起部２０２と、凹部２０１の外側で上方に隆起する外側隆起部２０３と、を有する。そして、本体１の底部１１１は、周囲の部位よりも下方に突出し、カバー体２の凹部２０１に嵌まり得る凸状部１１１ａを有する。このような構成によれば、凹部２０１に嵌り込む環状の凸状部１１１ａは、その内側および外側をそれぞれ囲む内側隆起部２０２および外側隆起部２０３によって動きが規制される。したがって、カバー体２の凹部２０１に本体１の底部１１１を嵌入させて積み重ねた状態での姿勢の安定を図ることができる。また、凸状部１１１ａが楕円形状である本実施形態の構成によれば、中心軸線Ｏｘ回りの回転の動きも効果的に規制される。
【００３５】
カバー体２は、天井部２０と、この天井部２０の周縁から筒状に垂れ下がるスカート部２１と、を有する。このような構成によれば、たとえば図１０、図１１に示すように、金属製品用吸着保持具Ａの使用時において、カバー体２の天井部２０の上に本体１を載せて使用することができる。ここで、本体１の吸着面１２５，１２６の高さは図４、図５等に示す場合よりも高い位置にあり、嵩上げされた状態となる。たとえばミシンでの縫い作業の際に金属製品用吸着保持具Ａを用いる場合、ミシンのテーブルが比較的に高い位置にあるところ、図１０、図１１に示すような使用態様によれば、吸着面１２５，１２６の高さ位置をミシンのテーブルの高さ位置に近づけることができ、使い勝手がよい。また、図１０、図１１に示す使用状態において、本体１の凸状部１１１ａ（底部１１１）はカバー体２の凹部２０１に嵌入しており、カバー体２および本体１の積み重ね状態が安定する。
【００３６】
金属製品用吸着保持具Ａにおいては、図１２に示すように本体１にカバー体２を装着した状態において、本体１に収容された永久磁石体１５，１６の磁力によってカバー体２の天井部２０上に置いたクリップ等の金属製品Ｎを吸着保持することができる。本実施形態では、凹部２０１は、垂直方向に延びる中心軸線Ｏｘを含む垂直断面において曲線をなすようにラウンドしており、凸状部１１１ａは、凹部２０１に嵌め合わされた状態において凹部２０１に沿うようにラウンドしている。このような構成によれば、たとえば図１２において仮想線で示すように、金属製品Ｎを凹部２０１まで滑らすと、当該金属製品Ｎが凹部２０１のラウンド形状に沿って傾き、金属製品Ｎを指先で容易に摘むことができる。
【００３７】
カバー体２におけるスカート部２１の内周面には係合突起２１１が設けられており、本体１における外周面には、係合突起２１１が係合し得る係合溝１７が設けられている。このような構成によれば、本体１へのカバー体２の装着時において、カバー体２が本体１から不当に脱落することが防止される。
【００３８】
以上、本発明の実施形態を説明したが、本発明の技術的範囲は上記した実施形態に限定されるものではない。本発明に係る金属製品用吸着保持具の各部の具体的な構成は、発明の思想から逸脱しない範囲内で種々な変更が可能である。
【符号の説明】
【００３９】
Ａ        金属製品用吸着保持具
Ｎ        金属製品
Ｏｘ      中心軸線
ｘ        方向
ｙ        方向
ｚ        方向（本体の高さ方向）
１        本体
１０      ケース
１１      下部ケース
１１１    底部
１１１ａ  凸状部
１１２    外周壁（側部）
１１３，１１４  突出部
１２      上部ケース
１２１    頂部
１２２    外周壁（側部）
１２３，１２４  突出部
１２５，１２６  吸着面
１２７    凹溝
１２８    突起部
１４      磁性部材
１５，１６  永久磁石体
１７      係合溝
２        カバー体
２０      天井部
２０１    凹部
２０２    内側隆起部
２０３    外側隆起部
２１      スカート部
２１１    係合突起
２１２    切り欠き
【図１】
0006701497.tif 000002
【図２】
0006701497.tif 000003
【図３】
0006701497.tif 000004
【図４】
0006701497.tif 000005
【図５】
0006701497.tif 000006
【図６】
0006701497.tif 000007
【図７】
0006701497.tif 000008
【図８】
0006701497.tif 000009
【図９】
0006701497.tif 000010
【図１０】
0006701497.tif 000011
【図１１】
0006701497.tif 000012
【図１２】
0006701497.tif 000013